(57)【要約】【課題】この発明は、回動レバーの外れる原因が外力受圧片に引っ掛ったときに生じる取外し力であるため、この取外し力に耐え得る抜止め係止構造を持たせることにより、回動レバーが不測に外れないようにした信頼性の高い回動スイッチおよび冷蔵庫用ドアスイッチを提供することを目的とする。【解決手段】この発明は、ハウジングに回動自由に軸支された回動レバーの回動操作力に基づいてハウジング内方の接点部間を接離してスイッチング操作する回動スイッチであって、前記ハウジングの一壁面に、前記回動レバーを取付けるためのレバー取付口を開口し、該レバー取付口を介して該ハウジングの外方から前記回動レバーを該ハウジング内方の軸支部に回動自由に軸支して取付け、前記軸支部を回動支点とする前記回動レバーの先端部に、前記レバー取付口の一縁部に係止対応する抜止め係止片を突設したことを特徴とする。【選択図】　図７
2004146234.tif 000002
【特許請求の範囲】
【請求項１】
外部からの操作力を受ける外力受圧片を外面側に有し、内面側にスイッチング操作用の操作部を有する回動レバーと、
前記回動レバーを初期回動位置に戻す復帰バネと、
前記復帰バネの復帰力に抗して前記回動レバーを回動操作させたとき、前記操作部が回動してスイッチング操作するスイッチ部と、
これらのスイッチ部品を、一側を開口した凹形状の空洞部に収納保持し、このうち前記回動レバーの外力受圧片を外面側に突出させた状態で該回動レバーを回動自由に軸支するハウジングと、
前記ハウジングの開口面を閉鎖するカバーとを備えた回動スイッチであって、
前記ハウジングの一壁面に、前記回動レバーを取付けるためのレバー取付口を開口し、該レバー取付口を介して該ハウジングの外方から前記回動レバーを該ハウジング内方の軸支部に回動自由に軸支して取付け、前記軸支部を回動支点とする前記回動レバーの先端部に、前記レバー取付口の一縁部に係止対応する抜止め係止片を突設した回動スイッチ。
【請求項２】
前記スイッチ部は、密封ケース内に外気と遮断された接点部を有する密封型スイッチを前記ハウジングに内蔵した請求項１記載の回動スイッチ。
【請求項３】
前記スイッチ部は、前記ハウジング内に導電性の固定接点片と可動接点片とを対設し、前記回動レバーの回動操作力が前記可動接点片に加わって可動変位させたとき、接点部間を接離してスイッチング操作するスイッチ機構を前記ハウジングに内蔵した請求項１記載の回動スイッチ。
【請求項４】
請求項１、２または３記載の回動スイッチを冷蔵庫のドアスイッチに適用した冷蔵庫用ドアスイッチ。
【発明の詳細な説明】
【０００１】
【発明が属する技術分野】
この発明は、例えば冷蔵庫のドアスイッチに利用されるような回動スイッチに関し、さらに詳しくは外力を受けて回動操作する回動レバーの離脱防止性能およびレバー取付け性能を高めた回動スイッチおよび冷蔵庫用ドアスイッチに関する。
【０００２】
【従来の技術】
一般に、この種の回動スイッチは、スイッチの直線的な操作方向の長さを、一端を回動支点とする回動方向の曲線的な操作長さに変換させてスイッチング操作させるため、長い操作ストロークが得られる。このため、スイッチ操作方向の長さを短縮しても、十分に長い操作ストロークが得られることから回動スイッチは全体を小型化できることが知られている。
【０００３】
このような回動スイッチを、例えば冷蔵庫のドアスイッチに適用した場合、ドアの開閉操作に伴って回動スイッチがオン・オフ動作し、冷蔵庫内を照明するランプを点灯・消灯および冷却モータを起動・停止させるスイッチ機能を有している。
【０００４】
この場合、ドアスイッチの外面側に突出する外力受圧片がドアと対応し、ドアの開閉に伴う回動操作力を受けたとき、出没して外力受圧片と一体の回動レバーが回動し、この回動時に内部の接点部が切換えられてスイッチング操作している（例えば特許文献１参照。）。
【０００５】
しかしながら、冷蔵庫のドアスイッチとして組込まれたとき、庫内の清掃時や庫内の冷蔵物を出し入れする時に、手や物が庫内の内面に突出する外力受圧片に強く触れたり、当ったりしたときに、その方向によっては外力受圧片と一体の回動レバーがハウジングより外れることがあり、この回動レバーが外れてしまうと、冷蔵庫のスイッチ機能を果さなくなり、冷蔵庫が使用できなくなる。
【０００６】
このため、回動レバーの抜け止め強度を、該レバーの回転支軸とケース（ハウジング）の軸受け穴との嵌合保持作用によって持たせている。ところが、このような軸支構造では、回動レバーの回転支軸を支持する樹脂バネ部を強固に形成する必要があり、そのために回動レバーをハウジングに組付ける際に、強い組付け力を要して組立作業性が悪くなる原因になっていた。
【０００７】
また、回動レバーが回動待機した自由状態での位置決めにおいても、該レバーの回動支軸の近傍面をハウジング面に対接させることにより位置決めしているが、回動レバーの回動支軸とハウジングの軸受け穴とのクリアランスが大きいと、回動レバーの静止位置がばらつき、回動スイッチの特性に悪影響を及ぼしてしまう。
【０００８】
さらに、回動レバーの横面に小突起を形成し、この小突起をハウジング面に接触させるものが示されているが、このような構成では回動レバーはハウジングの下方から組立てなければならず、組立作業性が悪くなってしまう問題を有していた。
【０００９】
【特許文献１】
特開平１１−１１１１０５号公報。
【００１０】
【発明が解決しようとする課題】
そこでこの発明は、このような問題に着目してなされたもので、ハウジングに組込まれた回動レバーの離脱原因が、該レバーの外力受圧片に外部から何かが引っ掛ったときに生じる取外し力であるため、この取外し力に耐え得る抜止め係止構造を持たせることにより、回動レバーが不測に外れないようにした信頼性の高い回動スイッチおよび冷蔵庫用ドアスイッチを提供することを目的とする。
【００１１】
【課題を解決するための手段】
この発明は、外部からの操作力を受ける外力受圧片を外面側に有し、内面側にスイッチング操作用の操作部を有する回動レバーと、前記回動レバーを初期回動位置に戻す復帰バネと、前記復帰バネの復帰力に抗して前記回動レバーを回動操作させたとき、前記操作部が回動してスイッチング操作するスイッチ部と、これらのスイッチ部品を、一側を開口した凹形状の空洞部に収納保持し、このうち前記回動レバーの外力受圧片を外面側に突出させた状態で該回動レバーを回動自由に軸支するハウジングと、前記ハウジングの開口面を閉鎖するカバーとを備えた回動スイッチであって、前記ハウジングの一壁面に、前記回動レバーを取付けるためのレバー取付口を開口し、該レバー取付口を介して該ハウジングの外方から前記回動レバーを該ハウジング内方の軸支部に回動自由に軸支して取付け、前記軸支部を回動支点とする前記回動レバーの先端部に、前記レバー取付口の一縁部に係止対応する抜止め係止片を突設したことを特徴とする。
【００１２】
ここで回動スイッチとは、外部からの操作力を受けることに基づいて回動レバーが回動し、この回動操作力に連動してスイッチ部をオン・オフするスイッチ機能を有している。
【００１３】
前記ハウジングとは、内方に復帰バネやスイッチ部などの構成部品を組込み許容する凹形状の空洞部および回動レバーの取付口を有して、絶縁に適した合成樹脂材を用いて構成することができる。このハウジングにスイッチ部品を組込む際は、凹形状の一面が開口した開口部より簡単に組込むことができる。組込み後は、ハウジングの空洞部開口面を平板状のカバーで覆って組立てることができる。
【００１４】
前記回動レバーとは、ハウジングに回動自由に軸支される軸部を備えたレバーで構成することができる。この回動レバーは通常、復帰バネで付勢されて該レバー外端部の外力受圧片がハウジングより外方に突出して外力を受圧可能に保持され、外力を受圧したときは押されてハウジング内に没入する如く回動してスイッチ部の接点部を切換えるものであり、同じく絶縁に適した合成樹脂材で構成することができる。
【００１５】
前記軸支部とは、回動レバーまたはハウジングの一方を軸部に設け、他方を軸支用の凹部に設けて構成することができる。例えば、回動レバーの両側面に軸部を突設し、これと対応するハウジングのレバー取付口の両側面に軸支用の凹部を設ければよい。
【００１６】
前記抜止め係止片とは、回動レバーをハウジングに取付けたときに、該回動レバーの一部がハウジングの内方に位置する係止部分に抜止め係止される一突片で構成することができる。例えば、ハウジングのレバー取付口の内面に回動レバーの一突片を係止対応させて抜止め係止することができる。
【００１７】
この発明によれば、ハウジングに回動レバーが取付けられたとき、該ハウジングに開口されたレバー取付口の一縁部に、回動レバーの抜止め係止片が係止された状態で取付けられるため、この回動レバーがハウジングに取付けられた後は、この抜止め係止片の係止作用によって外方への引抜き力を規制して回動レバーの引抜きを阻止することができる。
【００１８】
この場合、抜止め係止片の係止作用に加えて、レバー取付口でのレバー保持作用と、軸支部での保持作用との両保持作用が得られるため、回動レバーの抜止め阻止作用は、より一層顕著となる。このため、回動レバーの外力受圧片に、正規のスイッチ操作方向とは逆方向の外力が加わっても、回動レバーは抜止め係止されてハウジングから外れることはない。
【００１９】
したがって、このようなスイッチ機能を必要とする機器に回動スイッチを取付けた後は、回動レバーの外力受圧片に人の手や物体が当っても不測に離脱しなくなり、信頼性の高い回動スイッチとして利用することができる。
【００２０】
また、回動レバーの組込みに際しては、ハウジングの外方からレバー取付口内に回動レバーを軽く押込むだけで簡単に組込むことができ、強固に嵌合させるような力は要しなくなるため作業労力が軽減して組立作業性が向上する。このように回動レバーの離脱防止性能だけでなく、該回動レバーの取付け性能も高めることができる。
【００２１】
この発明の他の実施の形態として、密封ケース内に外気と遮断された接点部を有する密封型スイッチを、前記ハウジングにスイッチ部として内蔵した回動スイッチであることを特徴とする。
【００２２】
ここで密封型スイッチとは、ハウジング内に収納可能な小型の密封ケースに、導電性の固定接点片と可動接点片との接点部品を内蔵して接点部を切換えるように構成した密封型のスイッチである。
【００２３】
この場合は、回動レバーの抜止め係止片が、ハウジングのレバー取付口の一縁部に係止されて、該回動レバーに対しては外方への引抜き動作が規制されるとともに、密封型スイッチの密封作用により接点部に対するシール性が高くなり、ハウジング周辺の密封部材を省略した簡素化構成の回動スイッチが得られる。
【００２４】
ことに、密封型スイッチの接点部は密封ケース内に位置して外気と遮断された完全密封状態にあるため、スイッチ操作時に、ある接点部で仮にアークが発生しても密封ケース内に留まり、外部には何ら影響を与えない。
【００２５】
例えば、可燃性の冷却冷媒が採用された冷蔵庫用のドアスイッチに適用した場合、可燃性の冷却冷媒が仮に冷蔵庫内に漏れた場合であっても、スイッチの接点部は完全密封されているためドアを開閉操作したときに接点部でアークを発生しても可燃性の冷却冷媒には引火せず、耐引火性に優れた安全性の高い保護スイッチ機能を有して使用される。
【００２６】
この結果、ハウジングに対しては密封化の制約を受けなくなるため、回動スイッチの製作が容易となる。例えば、ハウジングの開口部を閉鎖するカバーとの接合部、スイッチ操作部などにゴムブーツやパッキン類の密封部材を省略した回動スイッチを構成できる。したがって、部品点数の削減および組立工数の少ない簡単なスイッチ構成が可能になる。
【００２７】
また、密封型スイッチ以外のスイッチ機構を内蔵しても構成することができる。例えば、ハウジング内に導電性の固定接点片と可動接点片とを対設し、前記回動レバーの回動操作力が前記可動接点片に加わって可動変位させたとき、接点部間を接離してスイッチング操作する復帰バネを省略した簡素化構成のスイッチ機構を内蔵した回動スイッチを提供することができる。
【００２８】
この場合も、回動レバーは抜止め係止片によってハウジングのレバー取付口に係止されて、外方への引抜き動作が規制されるため、回動レバーはハウジングから外れることはない。
【００２９】
このような回動スイッチを、例えば冷蔵庫のドアスイッチに適用した場合は、庫内で該回動スイッチの外力受圧片が手や物に当っても不測に外れなくなり、信頼性の高いドアスイッチとして使用することができる。
【００３０】
【発明の実施の形態】
この発明の一実施の形態を以下図面に基づいて説明する。
［第１実施の形態］
図面は冷蔵庫のドアスイッチに使用される回動スイッチを示し、図１、図２および図３において、この回動スイッチ１１はハウジング１２と、カバー１３と、回動レバー１４と、復帰バネ１５と、密封型スイッチ１６とを一体に組込んで構成される。
【００３１】
前記ハウジング１２は、内部に上述の構成部品１４，１５，１６を組込む凹形状の空洞部１２ａを有し、この空洞部１２ａへの部品組込み後に、該空洞部１２ａの開口面に対して平面的に閉鎖するカバー１３が一体的に取付けられる。
【００３２】
図４は回動レバー１４を示し、この回動レバー１４は扇形状を有し、その扇形の一傾斜上面に沿ってレバー押下片１４ａを斜め上向きに延設し、下部の扇形中心角部の両側面に支軸１４ｂを突設し、一方の支軸１４ｂはカバー１３の内側面に形成された軸支部（図面省略）に軸支され、他方の支軸１４ｂはハウジング１２の内側面に開口して設けた軸支孔１２ｂに軸支させて設け、該回動レバー１４は、これらの軸支部分を回動基点にハウジング１２に回動自由に取付けられる。
【００３３】
この回動レバー１４はハウジング１２の上面に開口された長方形状のレバー取付口１２ｃに上方から挿入されて取付けられ、後述する復帰バネ１５の付勢力を受けて回動レバー１４の外力受圧片としてのレバー押下片１４ａが上方の外力受圧位置に突出して斜め上方に長く伸びた状態に支持されており、このレバー押下片１４ａがハウジング上面に沿う水平方向一側からの外力を受けたときに、該レバー１４は両側の支軸１４ｂを支点に下向きに回動してレバー取付口１２ｃに没入する。
【００３４】
さらに、この回動レバー１４の下部には半円形の操作カム１４ｃを突設しており、この操作カム１４ｃが、密封型スイッチ１６のアクチュエータ１６ａを押してスイッチング操作する。
【００３５】
このとき、操作カム１４ｃは、レバー１４の支軸１４ｂを回動基点とする略同心円上に半円形状に突出形成し、この円弧面長さを接触対応面に設けてアクチュエータ１６ａを回動しながら緩やかに押圧するように設けている。このため、相互の接触面間の磨耗が少なくなり、スイッチング操作時には滑らかな動きが得られる。
【００３６】
特に、回動スイッチ１１が冷蔵庫のドアに対応して取付けられたとき、ドアの開閉に伴う操作力（外力）はハウジングの外面（上面）と略平行方向に加わる向きに設定されて、ハウジング外面より突出した回動レバー１４のレバー押圧片１４ａは、その外面方向に沿った水平方向の外力を受ける。この結果、回動レバー１４は一端を回動支点に回動しながらハウジング内に没入する如くスイッチング操作される。
【００３７】
このとき、回動レバー１４は回動しながら該レバー１４の操作カム１４ｃがアクチュエータ１６ａを押圧してスイッチング操作するため、直線的に作用する外力をレバー回動時に操作カム１４ｃによって、円弧方向の長い接触長さに切換えて受圧伝達させることができる。このため、長い操作ストロークを得ることができる。
【００３８】
このように操作ストロークを長くとれるため、スイッチの操作方向長さを短縮してスイッチの小型化が図れ、またスイッチの小型化を図っても操作ストロークの長い安定したスイッチ性能が得られる。例えば、操作ストロークの範囲内で接点の切換え領域を設定すればよく、さらにストローク不足を解消して確実にオン、オフさせることができるほか、過剰ストロークも許容する構成にできるなど信頼性の高いスイッチ性能が得られる。
【００３９】
さらに、回動レバー１４の下面には軸方向の伸縮を可能にして、支軸１４ｂの取付け性を高めた各割溝１４ｄ，１４ｅを両側の支軸１４ｂの近くにそれぞれ形成している。
【００４０】
また、この回動レバー１４の扇形状中心角部に位置する支軸１４ｂを回動支点とする該レバー１４の先端部には抜止め係止片１４ｇを突設しており、この抜止め係止片１４ｇがレバー取付口１２ｃ内において、その先端側の一縁部下面１２ｅに係止対応して抜止めされる。
【００４１】
この抜止め係止片１４ｇの抜止め力は、後述する復帰バネ１５の上向きの付勢力を受けて該ハウジング１２に開口されたレバー取付口１２ｃの一縁部下面１２ｅに、該回動レバー１４の抜止め係止片１４ｇが係止された状態で取付けられるため、この回動レバー１４がハウジング１２に取付けられた後は、この抜止め係止片１４ｇの係止作用によって外方への引抜き力を規制して回動レバー１４の引抜き移動を阻止することができる。
【００４２】
この場合、抜止め係止片１４ｇの係止作用に加えて、レバー取付口１２ｃに取付けられた回動レバー１４の支軸１４ｂ側となる該レバー１４の垂直な基端面１４ｈはレバー取付口１２ｃの基端側の垂直開口面１２ｆに平面対応して、逆回動方向への回動を規制している（図３参照）。このため、回動レバー１４は抜止め係止作用と、レバー取付口１２ｃでのレバー保持作用と、軸支部１２ｂでの保持作用との両保持作用が得られるため、回動レバー１４の抜止め阻止作用は、より一層顕著となる。
【００４３】
また、該レバー１４の下部には、後述する復帰バネ１５の端部を受止めて上向き（外向き）の付勢力を受けるバネ係合溝１４ｆを形成している。
【００４４】
上述の復帰バネ１５はコイルバネにて形成され、この復帰バネ１５がハウジング１２の内部に、軸支孔１２ｂと同方向に突出するバネ支持軸１２ｄに挿通されて支持され、この復帰バネ１５の一端をハウジング１２に固定し、他端を回動レバー１４の扇形状下面に形成されたバネ係合溝１４ｆに係合固定して取付けている。この回動レバー１４は、通常、復帰バネ１５の付勢力により外部のレバー押下片１４ａがハウジング１２の上面より斜め上方に突出して、回動レバー１４は外力を受圧待機した状態にある。
【００４５】
そして、上方のレバー押下片１４ａに外力が加わると、回動レバー１４は支軸１４ｂを回動支点に下向きに回動し始め、下面の操作カム１４ｃが内方の密封型スイッチ１６のアクチュエータ１６ａを押して、同スイッチ１６に内蔵されている図示しない接点部を切換える。
【００４６】
上述の密封型スイッチ１６は、図５に示すように、長方体の密封ケース１６ｂ内に外気と遮断された図示しない接点部を有し、該密封ケース１６ｂの一端部にはアクチュエータ１６ａを突設し、他端部には配線接続用の第１〜第３端子１６ｃ〜１６ｅを突設して、ハウジング１２の空洞部１２ａに嵌合固定して取付ける。
その後は、空洞部１２ａの開口面をカバー１３で塞いで小型の回動スイッチ１１を構成する。
【００４７】
ことに、ハウジング１２への組込みに際しては、ハウジング内に回動レバー１４と復帰バネ１５と密封型スイッチ１６との３点を組込むだけでよく、最後にカバー１３で閉鎖すれば回動スイッチ１１を構成できる。また、部品点数が少ないため内部構造の簡素化、組立工数の削減に伴い低コスト化および小型化を図ることができる。図中、１２ｇは端子接続口である。
【００４８】
このように構成された回動スイッチ１１は、回動レバー１４が押下されていない状態では、図６（Ａ）および図７に示すように、外方ではレバー押圧片１４ａがハウジング１２の上方受圧位置に付勢突出し、内方では回動レバー１４の操作カム１４ｃが密封型スイッチ１６のアクチュエータ１６ａに押下可能に軽く接した押圧待機状態にある。したがって、密封型スイッチ１６はオフ状態で待機している。
【００４９】
次に、冷蔵庫のドアの開または閉操作に伴って回動レバー１４のレバー押下片１４ａが水平方向からの外力を受けて押下操作されると、図６（Ｂ）および図８に示すように、この回動レバー１４は復帰バネ１５の付勢力に抗して、支軸１４ｂを回動支点に下向きに回動し、該回動レバー１４の全体がハウジング１２内に押し込まれる如く押下される。
【００５０】
このとき、回動レバー１４の操作カム１４ｃが緩やかに回動しながら、その円弧面にてアクチュエータ１６ａを曲面接触して押圧し、外力を受けた回動レバー１４がハウジング１２内に押し込まれて、回動レバー１４のレバー押下片１４ａがハウジング上面と略面一になった時点で回動停止する。この回動過程で密封型スイッチ１６は内部の接点部が接触してオン動作する。
【００５１】
また、このとき、回動レバー１４は該レバーの抜止め係止片１４ｇが復帰バネ１５により上向きに付勢され、ハウジング１２のレバー取付口１２ｃの一縁部下面１２ｅに係止されて抜止めされている。
【００５２】
このため、冷蔵庫のドアが開操作されて物品を出入れ操作したとき、あるいは庫内を掃除したときに、庫内に突出する回動レバー１４のレバー押下片１４ａに、人の手や物品が当ることがあり、この場合、正規のスイッチ操作方向と異なる任意の方向からの外力が加わっても、回動レバー１４は抜止め係止片１４ｇの抜止め作用によってハウジング外方への引抜きが阻止される。このため、回動レバー１４はハウジング１２に終始安定して取付けられ、回動レバー１４が不測にハウジング１２から外れることはない。
【００５３】
また、ハウジング１２への取付けに際しても、ハウジング１２は上面に開口するレバー取付口１２ｃに対し、その上方から回動レバー１４の下部先端側の抜止め係止片１４ｇを傾斜状態にして先に入れた状態で扇形状基端部を挿入し、その両支軸１４ｂを対応する軸支孔１２ｂに上方から嵌合させて回転自由に軸支させて取付ける。このように、回動レバー１４は上方から軽く押し込むだけで簡単に取付けることができる。
【００５４】
上述の回動レバー１４の押下状態から冷蔵庫のドアの例えば開操作によって回動レバー１４の外力が除かれると、回動レバー１４は復帰バネ１５の復帰力を受けて元の押下待機位置に回動復帰し、これに伴いアクチュエータ１６ａも同様に元の位置に復帰し、密封型スイッチ１６の接点部も復帰動作を行って初期状態に戻る。
【００５５】
［第２実施の形態］
次に、抜止め係止片を簡素化構成のスイッチ機構を内蔵する回動スイッチに適用した場合について説明する。
【００５６】
図９および図１０において、この回動スイッチ９１はハウジング９２と、カバー９３と、回動レバー９４と、復帰バネ９５と、３個の固定端子９６〜９８と、可動片９９とを一体に組込んで構成される。
【００５７】
ハウジング９２は、内部に上述のスイッチ構成部品９４〜９９を組込むための空洞部９２ａを有し、この空洞部９２ａへのスイッチ構成部品の組込み後に、該空洞部９２ａの開口面に対し、平面的に閉鎖するカバー９３を一体的に取付ける。
【００５８】
このカバー９３の内面には、固定端子９６〜９８や可動片９９を個別に区画して支持するための図示しない区画壁を有し、またカバー９３の上部一側には回動レバー９４の一方の支軸を軸支する図示しない軸支部を備えている。
【００５９】
図１１は回動レバー９４を示し、この回動レバー９４は扇形状を有し、その傾斜上面に沿ってレバー押下片９４ａを斜め上向きに延設し、下部の扇形中心角部の両側面に支軸９４ｂを突設し、一方の支軸９４ｂはカバー９３の内側面に形成された軸支部に軸支され、他方の支軸９４ｂはハウジング９２の内側面に開口して設けた軸支孔９２ｂに軸支されて該回動レバー９４は、これらの軸支部を回動基点にハウジング９２に回動自由に取付けられる。
【００６０】
この回動レバー９４はハウジング９２のレバー取付口９２ｃに上方から挿入されて、後述する復帰バネ９５の付勢力を受けて回動レバー９４の押下対応面としてのレバー押下片９４ａが上方に突出した押下可能な状態に支持されており、この斜め上方に長く伸びたレバー押下片９４ａが水平方向からの外力を受けたときに、両側の支軸９４ｂを支点に回動して該レバー押下片９４ａは同水平方向に押し下げられる。
【００６１】
さらに、この回動レバー９４の下部一側面には半円形摺接突起９４ｃを突設しており、この半円形摺接突起９４ｃが後述する可動片９９に接触対応してスイッチング操作される。
【００６２】
このとき、半円形摺接突起９４ｃは、レバー９４の支軸９４ｂを回動基点とする回動方向に沿う半円形状に全体を細長く突出形成し、その接触部分は断面半月状に突出させて接触面を点接触させて、摺接するように設けている。このため、相互の接触部材間の磨耗が少なくなり、滑らかな動きが得られる。
【００６３】
さらに、このレバー９４の下面には厚さ方向の伸縮を可能にして、支軸９４ｂ部分の取付け性を高めた各割溝９４ｄ，９４ｅを形成している。
【００６４】
また、この回動レバー９４の扇形状中心角部に位置する支軸９４ｂを回動支点とする該レバー９４の先端部には抜止め係止片９４ｇを突設しており、この抜止め係止片９４ｇが、レバー取付口９２ｃ内において、その先端側の一縁部下面９２ｅに係止対応して抜止めされる。
【００６５】
この抜止め係止片９４ｇの抜止め力は、図１２に示すように、後述する復帰バネ９５の上向きの付勢力を受けて該ハウジング９２に開口されたレバー取付口９２ｃの一縁部下面９２ｅに、該回動レバー９４の抜止め係止片９４ｇが係止された状態で取付けられるため、この回動レバー９４がハウジング９２に取付けられた後は、この抜止め係止片９４ｇの係止作用によって外方への引抜き力を規制して回動レバー９４の引抜き移動を阻止することができる。
【００６６】
この場合、抜止め係止片９４ｇの係止作用に加えて、レバー取付口９２ｃに取付けられた回動レバー９４の支軸９４ｂ側となる該レバー９４の垂直な基端面９４ｈはレバー取付口９２ｃの基端側の垂直開口面９２ｆに平面対応して、逆回動方向への回動を規制している。このため、回動レバー９４は抜止め係止作用と、レバー取付口９２ｃでのレバー保持作用と、軸支部９２ｂでの保持作用との両保持作用が得られるため、回動レバー９４の抜止め阻止作用は、より一層顕著となる。
【００６７】
上述の復帰バネ９５はコイルバネにて形成され、この復帰バネ９５がハウジング９２の内部に水平に突出するバネ支持軸９２ｄに挿通されて支持され、この復帰バネ９５の一端をハウジング９２のバネ支持軸９２ｄに固定し、他端を回動レバー９４の扇形状下面に係合固定して取付けられ、このバネ９５の付勢力により回動レバー９４は、そのレバー押下片９４ａをハウジング９２の上面より突出させて回動レバー９４を押下可能にハウジング９２の上面より上方に付勢突出させている。
【００６８】
そして、レバー押下片９４ａに外力が加わってスイッチング操作されると、回動レバー９４が下向きに回動し始め、このとき内方の接点部間が切換わる。
【００６９】
上述の接点構成部品としては、図１３に示すように、３個の固定端子９６〜９８と１個の可動片９９とを組合せて構成され、各固定端子９６〜９８は導電性金属板にて細長い平板状にそれぞれ独立して３列に並列配設し、その中間位置の共通固定端子９６を挟む上部位置に第１固定端子９７を、下部位置に第２固定端子９８を平行してハウジング９２に一体に取付け、このうち共通固定端子９６は先端部の平面上に山形状に突出する固定支点部９６ａを突出形成している。また、上部位置に配設される第１固定端子９７の先端部平面上には半球形の小さな第１固定接点部９７ａを付設し、下側に配設される第２固定端子９８の先端部平面上には半球形の小さな第２固定接点部９８ａを付設している。この場合、第１固定端子９７と第２固定端子９８とは同一形状で同機能を有するため、同一部品で共用することができる。
【００７０】
可動片９９は、導電バネ性の金属板をＵ字形に長く屈曲形成し、この屈曲した部分を頂部とする両片９９Ａ，９９Ｂのうち、一片側９９Ａには中間位置に、前記共通固定端子９６の先端部に突出する固定支点部９６ａに凹部対応する傾動支点部９９ａを形成し、この傾動支点部９９ａの上部側に固定接点部側に向けて突出する第１可動接点部９９ｂを形成し、傾動支点部９９ａの下部側に固定端子側に向けて突出する第２可動接点部９９ｃを形成している。この場合も、各可動接点部９９ｂ，９９ｃは突出形成に限らず、接点用の別部品を付設して形成することもできる。
【００７１】
そして、上述の可動片９９の傾動支点部９９ａと、これと対向する共通固定端子９６の固定支点部９６ａとが凹凸対応して傾動自在に支持される。このとき、可動片９９の他片側９９Ｂが、回動レバー９４の半円形摺接突起９４ｃに加圧されて一片側９９Ａに付勢して固定端子側との接点部間を接触させた状態にあり、スイッチング操作時に回動レバー９４と一体の半円形摺接突起９４ｃが回動して傾動支点部９９ａの位置を越えたときに可動片上部側にかかる付勢力から可動片下部側にかかる付勢力に切換わり、これに基づいて可動片９９は傾動支点部９９ａを傾動支点にシーソ状に反転して接点が切換えられる。このため、可動片９９はスイッチング操作時に傾動し、いずれかの可動接点部９９ｂ，９９ｃ側が対向する固定端子９７，９８側の固定接点部９７ａ，９８ａに付勢対接して導通する。また、回動レバー９４の押下解除時は可動片９９が傾動支点部９９ａを傾動支点に逆向きの反転動作を行って接点が切換えられ、元の接点状態に戻る。
【００７２】
さらに、Ｕ字形の可動片９９については、他片側９９Ｂの外面中央部に長手方向に沿って細長い半円形に突出する摺接突起９９ｄを突設し、この摺接突起９９ｄの長手方向に沿って、回動レバー９４の半円形摺接突起９４ｃが接触対応する。
【００７３】
このとき、可動片９９に摺接突起９９ｄを設けることにより、回動レバー９４の半円形摺接突起９４ｃとはスイッチング操作時に面接触ではなく点接触で摺接対応することになり、両部材間の相互の磨耗が少なくなり、寿命延長が図れるとともに、滑らかな動きが得られる。
【００７４】
さらに、他片側９９Ｂの下端を、くの字形に内向きに曲げた、くの字形折曲部９９ｅを有しており、このくの字形折曲部９９ｅを備えることにより、回動レバー９４の押し込みが進んでも、このくの字形折曲部９９ｅ上の摺接突起９９ｄの頂点９９ｆが常に接触ポイントになるため、Ｕ字形を有する可動片自体の弾性作用と相まって安定した接点接触力が得られる。
【００７５】
このように、回動スイッチ９１は、スイッチング操作に伴って可動片９９を反転するシーソ構造の接点切換え機構を有しているため、この可動片自体に可動片本来の接点機能と復帰バネ機能とを併せ持つ兼用部品となって、部品点数の削減および組立工数の削減が図れ、また内部構造の簡素化に伴って低コスト化および省スペース化に伴う小型化を図ることができる。
【００７６】
次に、ハウジング９２に回動レバー９４を取付ける取付け状態を図１６を参照して説明する。
【００７７】
先ず、図１６（Ａ）に示すように、ハウジング９２の上面に開口するレバー取付口９２ｃに対し、その上方から回動レバー９４の下部先端側の抜止め係止片９４ｇを傾斜状態にして先に入れた状態で、図１６（Ｂ）に示すように、扇形状基端部を挿入し、その両支軸９４ｂを対応するハウジング９２の軸支孔９２ｂに上方から嵌合させて、図１６（Ｃ）に示すように、回転自由に軸支させて取付ける。このように、回動レバー９４は上方から軽く押し込むだけで簡単に取付けることができる。
【００７８】
このほかにもハウジング９２への組込みに際しては、ハウジング内に複数の固定端子９６〜９８を並列配置するため、ハウジングの内部空間に無駄な配置スペースを要せず効率よく整列させてコンパクトに組込むことができる。
【００７９】
また、可動片９９においても、Ｕ字形に設けて折畳んだ如く小さな形状であるため小型化に適しており、しかもＵ字形の屈曲部を頂点とする両片が相対向方向に弾性変位して十分な弾力性を得ることができるため、小型でありながら的確なバネ機能が得られる。さらに、可動片９９を固定端子９６〜９８の並列方向に直交させて各々の固定端子に接触対応可能に対設させているため、小スペースでの接点部の配置構造に相応しく、小型化に適した効率のよい配置構成が図れる。
【００８０】
また、可動片９９のＵ字形の他片側９９Ｂの外面長手方向に沿って回動レバー９４の半円形摺接突起９４ｃが接するため、この他片側９９Ｂの長手方向に長く回動レバー９４が接触対応することになり、回動レバーの操作ストロークを十分に長くとれる。このようにスイッチング操作時に操作ストロークを長くとれるため、その操作ストロークの範囲内で接点の切換え領域を設定すれば、スイッチの取付け精度のバラツキによる悪影響を受けなくなる。このため、ストローク不足を解消して確実にオン、オフさせることができるほか、過剰ストロークを許容してスイッチ部品の破損の恐れもなくなる。
【００８１】
このように構成された回動スイッチ９１は、回動レバー９４が押下されていない状態では、可動片上部の他片側９９Ｂが回動レバーの半円形摺接突起９４ｃに付勢されて、図１２および図１４に示すように、可動片９９の傾動支点部９９ａは共通固定端子９６の固定支点部９６ａに支持されて常時接触対応した状態にあり、同時に可動片上部側の第１可動接点部９９ｂが第１固定端子９７の第１固定接点部９７ａに接触対応して、可動片９９を介して共通固定端子９６と第１固定端子９７とは導通状態にある。
【００８２】
次に、図１５に示すように、回動レバー９４が水平方向からの外力を受けて押下操作されると、この回動レバー９４は復帰バネ９５の付勢力に抗して下向きに回動し、回動レバー９４の全体がハウジング９２内に押し込まれる。
【００８３】
このとき、回動レバー９４の半円形摺接突起９４ｃはバネ性を有する可動片９９の他片側９９Ｂに沿って滑り込みながら進み、可動片９９の傾動支点部９９ａの位置を通過すると、可動片９９は傾動支点部９９ａを支点に、Ｕ字形自体の持つ弾力保有特性に基づいてシーソ状に反転し、今まで導通していた第１可動接点部９９ｂが第１固定接点部９７ａより離れて不導通になり、これに代わって第２可動接点部９９ｃが第２固定接点部９８ａと接触し、共通固定端子９６と第２固定端子９８は導通状態になる。
【００８４】
この可動片９９が反転するとき、可動片自体がＵ字形板バネ材の反力によるスナップ動作で勢いよく瞬時に反転するため、アークの発生を効率よく解消して接点面上の酸化膜の発生を防ぎ、信頼性の高い接点性能が得られる。
【００８５】
さらに、回動レバー９４が押し込まれて、回動レバー９４のレバー押下片９４ａがハウジング上面と面一になった時点で回動停止する。この押下状態から回動レバー９４の外力が除かれると、回動レバー９４は復帰バネ９５の復帰力を受けて元の押下待機位置に退避して戻り、可動片９９も同様に反転して元の位置に復帰し、接点部間も上述の動きと逆の反転動作を行って初期状態に戻り、接点の切換えが行われる。
【００８６】
ところで、冷蔵庫のドアが開操作されて物品を出入れ操作したとき、あるいは庫内を掃除したときに、庫内に突出する回動レバー９４のレバー押下片９４ａに、人の手や物品が当ることがあっても、回動レバー９４は該レバーの抜止め係止片９４ｇが復帰バネ９５により上向きに付勢され、ハウジング９２のレバー取付口９２ｃの一縁部下面９２ｅに係止されて抜止めされているため、ハウジング外方への引抜きが阻止される。このため、回動レバー９４はハウジング９２に終始安定して取付けられ、回動レバー９４が不測にハウジング９２から外れることはない。
【００８７】
上述のように、ハウジングに回動レバーが取付けられたとき、回動レバーは、該レバーに設けた抜止め係止片がハウジングのレバー取付口の一縁部下面に係止された状態で取付けられるため、この回動レバーがハウジングに取付けられた後は、この抜止め係止片の係止作用によって外方への引抜き力を規制して回動レバーの引抜きを阻止することができる。
【００８８】
この発明の構成と、上述の一実施の形態の構成との対応において、
この発明の外力受圧片は、実施の形態のレバー押下片１４ｃ，９４ｃに対応し、
以下同様に、
操作部は、操作カム１４ｃと半円形摺接突起９４ｃに対応し、
スイッチ部は、密封型スイッチ１６と、固定接点片および可動接点片を含むシーソ構造の接点切換え機構とに対応するも、
この発明は請求項に示される技術思想に基づいて応用することができ、上述の実施の形態の構成のみに限定されるものではない。
【００８９】
【発明の効果】
この発明によれば、回動レバーの外力受圧片に人の手や物体が当っても回動レバーは不測に離脱しなくなり、信頼性の高い回動スイッチとして利用することができる。また、回動レバーの組込みに際しては、ハウジングの外方からレバー取付口内に回動レバーを軽く押込むだけで簡単に組込むことができ、強固に嵌合させるような力は要しなくなるため作業労力が軽減して組立作業性が向上する。このため、回動レバーの離脱防止性能だけでなく、該回動レバーの取付け性能も高めることができる。
【図面の簡単な説明】
【図１】第１実施の形態の回動スイッチの外観斜視図。
【図２】第１実施の形態の回動スイッチの展開斜視図。
【図３】第１実施の形態の回動スイッチの縦断面図。
【図４】第１実施の形態の回動レバーを示す拡大斜視図。
【図５】第１実施の形態の密封型スイッチの外観斜視図。
【図６】第１実施の形態の回動レバーの動作状態を示す縦断面図。
【図７】第１実施の形態の回動レバーの抜止め状態を示す要部斜視図。
【図８】第１実施の形態の回動レバーの回動操作状態を示す要部斜視図。
【図９】第２実施の形態の回動スイッチの外観斜視図。
【図１０】第２実施の形態の回動スイッチの展開斜視図。
【図１１】第２実施の形態の回動レバーを示す拡大斜視図。
【図１２】第２実施の形態の回動レバーの抜止め状態を示す縦断面図。
【図１３】第２実施の形態の可動片と固定端子を示す外観斜視図。
【図１４】第２実施の形態の内部構造を示す縦断側面図。
【図１５】第２実施の形態の回動レバーの動作状態を示す縦断面図。
【図１６】第２実施の形態の回動レバーの取付け状態を示す説明図。
【符号の説明】
１１，９１…回動スイッチ
１２，９２…ハウジング
１２ｃ，９２ｃ…レバー取付口
１４，９４…回動レバー
１４ａ，９４ａ…レバー押下片
１４ｇ，９４ｇ…抜止め係止片
【図１】
2004146234.tif 000003
【図２】
2004146234.tif 000004
【図３】
2004146234.tif 000005
【図４】
2004146234.tif 000006
【図５】
2004146234.tif 000007
【図６】
2004146234.tif 000008
【図７】
2004146234.tif 000009
【図８】
2004146234.tif 000010
【図９】
2004146234.tif 000011
【図１０】
2004146234.tif 000012
【図１１】
2004146234.tif 000013
【図１２】
2004146234.tif 000014
【図１３】
2004146234.tif 000015
【図１４】
2004146234.tif 000016
【図１５】
2004146234.tif 000017
【図１６】
2004146234.tif 000018